(57)【要約】      （修正有）【課題】ヘアーアイロンのみの使用と加熱カバーを装着させた使用の２通りの使用形態を有し、トリートメント用として加熱カバーを装着させたときは、加熱効率の向上、防水性を有し、加熱カバーによる直熱で毛髪を加熱することでトリートメントの有効成分を浸透させて保護皮膜を形成させ、手作業による丁寧な仕上がりが得られるようにした加熱カバーを備えたヘアーアイロンを提供する。【解決手段】ヘアーアイロンと、ヘアーアイロンの加熱腕部１１に着脱可能に装着される加熱カバーＣを備え、加熱カバーはヘアーアイロンの加熱腕部に接触する金属管による本体加熱管と、プラスチック製のキャップ部材２２及び挿入口部材２３により形成され、本体加熱管とキャップ部材との接続部、本体加熱管と挿入口部材との接続部に耐熱緩衝材３１，３２が形成され、挿入口部材の内面に耐熱緩衝材３３が設けられている。【選択図】図１
0003164594.tif 000002
【実用新案登録請求の範囲】
【請求項１】
把持腕部（１０）の先端に加熱腕部（１１）が一直線状に連結された一対の毛髪挟持アーム（１），（１）の基端部が、前記加熱腕部（１１）が近接離反するように閉開可能に枢着されたヘアーアイロン（Ｈ）と、
このヘアーアイロン（Ｈ）のそれぞれの加熱腕部（１１）に着脱可能に装着されるトリートメント用加熱カバー（Ｃ）を備え、
前記トリートメント用加熱カバー（Ｃ）は、装着状態で前記ヘアーアイロン（Ｈ）の加熱腕部（１１）に接触する金属管による本体加熱管（２１）と、この本体加熱管（２１）の先端に取り付けられたプラスチック製のキャップ部材（２２）と、本体加熱管（２１）の基端に取り付けられたプラスチック製の挿入口部材（２３）により形成され、
前記本体加熱管（２１）とキャップ部材（２２）との接続部に耐熱緩衝材（３１）が形成されると共に、本体加熱管（２１）と挿入口部材（２３）との接続部に耐熱緩衝材（３２）が形成され、
かつ前記挿入口部材（２３）の内面にヘアーアイロン（Ｈ）との耐熱緩衝材（３３）が設けられていることを特徴とするトリートメント用加熱カバーを備えたヘアーアイロン。
【請求項２】
前記トリートメント用加熱カバー（Ｃ）の本体加熱管（２１）の材質がアルミニウムである請求項１記載のトリートメント用加熱カバーを備えたヘアーアイロン。
【請求項３】
前記トリートメント用加熱カバー（Ｃ）の本体加熱管（２１）に多元素鉱物を粉砕して形成した多元素鉱物粉状体が含まれている請求項１又は２記載のトリートメント用加熱カバーを備えたヘアーアイロン。
【請求項４】
前記多元素鉱物粉状体に、遠赤外線放射材料を粉砕して形成した遠赤外線放射粉状体が混合されている請求項３記載のトリートメント用加熱カバーを備えたヘアーアイロン。
【考案の詳細な説明】
【技術分野】
【０００１】
本考案は、美容室や理容室等の業務用として、また家庭用として供され、通常のヘアーアイロンとして使用できると共に、毛髪にトリートメントを施す際にも使用できるようにしたトリートメント用加熱カバーを備えたヘアーアイロンに関する。
【背景技術】
【０００２】
美容室や理容室における毛髪ケアの技術メニューとして施術されるトリートメントは、環境要因による毛髪ダメージ、ヘアーカラーやヘアーパーマなどのケミカルダメージを受けた毛髪に対し、有効成分を毛髪内部にまで浸透させ、油分や水分を補って毛髪の状態を内側から整え、毛髪にツヤや張りを与えてしなやかにする効果がある。
【０００３】
従来、このヘアートリートメントの施術は、ヘアートリートメント液を塗布して濡れた毛髪を赤外線放射による加温装置（毛髪処理促進装置）で加温し、ヘアートリートメントの浸透、保護皮膜の形成処理を行うのが一般的である（特許文献１参照）。
【０００４】
しかしながら、このような毛髪処理促進装置を設備するには多額の費用がかかるし、特に、その施術は毛髪処理促進装置から頭髪に向かって赤外線を照射して頭髪を加熱するだけのもので、人手による細やかな技術で加熱処理を行うものではないため、丁寧な仕上がりという面では不十分であった。
【０００５】
ヘアーアイロンは、把持腕部の先端に加熱腕部が一直線状に連結された一対の毛髪挟持アームの基端部が、前記加熱腕部が近接離反するように閉開可能に枢着されたもので、この加熱腕部の間で毛髪を挟んで加熱することにより、毛髪にカールを付けたり、毛髪をストレートに延したりするものである（特許文献２参照）。
この場合、従来のヘアーアイロンは、毛髪挟持部分だけが加熱部に形成され、この加熱部以外の部分、即ち、毛髪挟持部分の側方部分や毛髪挟持部分の反対側部分はプラスチック材によって覆われ、これらの部分で毛髪加熱を行うには不十分といえる。
【０００６】
又、従来、加熱腕部に耐熱シリコンゴム（非金属加熱部材）によるカバーを被せるようにしたストレートパーマ用ヘアーアイロンが知られている（特許文献３参照）。
【０００７】
このヘアーアイロンは、加熱腕部に耐熱シリコンゴム（非金属加熱部材）によるカバーを被せることで濡れた毛髪に対して良好なパーマ施術を毛髪に悪影響を与えることなく簡略に実行できるようにしたものである。
【０００８】
しかしながら、このヘアーアイロンは、カバーが耐熱シリコンゴム（非金属加熱部材）であるため、毛髪に対する滑りが悪く毛髪を傷つけるといったことがあるし、又、アルミニウム等の金属に比べて熱伝達性が劣るし、耐熱シリコンゴムが熱によって軟弱（ぶよぶよ）になって変形してしまうなどの理由で思うような施術ができず、良好な仕上がりができないといった問題があった。
【先行技術文献】
【特許文献】
【０００９】
【特許文献１】特開２００２−８５１４３号公報
【特許文献２】特開２００９−２７３９００号公報
【特許文献３】実用新案登録第３１５３００８号公報
【考案の概要】
【考案が解決しようとする課題】
【００１０】
本考案のトリートメント用加熱カバーを備えたヘアーアイロンは、ヘアーアイロンの加熱腕部にトリートメント用加熱カバー（以下、「加熱カバー」と略称する）を着脱可能に装着させるようにしたもので、加熱カバーを外した状態では、ヘアーアイロンを通常のパーマ用アイロンとして使用でき、加熱カバーを装着させた状態では、トリートメント液によって濡れたままの毛髪に対して直熱を与えてトリートメント施術が行えるようにした。
【００１１】
特に、加熱カバーを装着させた状態では、ヘアーアイロンの加熱腕部に接触した金属管による本体加熱管が熱伝達により発熱されることから、トリートメントに際し、加熱カバーの直熱で毛髪を加熱（４０〜５０℃）させることができるもので、その加熱効率を向上させるために加熱カバーの加熱面積を広く取ると共に熱伝達性に優れた金属管を用いた。
又、トリートメント液で濡れたままの毛髪に対してアイロンを当てることになるため、ショート等の電気的なトラブルを防止し、かつ安全性を確保するために防水性を持たせた。
【００１２】
即ち、本考案は、ヘアーアイロンのみの使用と加熱カバーを装着させた使用との２通りの使用形態を有し、トリートメント用として加熱カバーを装着させたときには、加熱効率を向上させ、かつ防水性を持ち、ヘアーアイロンに装着した加熱カバーによる直熱で毛髪を加熱することによりトリートメントの有効成分を浸透させて保護皮膜を形成させるようにしたもので、手作業による丁寧な仕上がりが得られるようにした加熱カバーを備えたヘアーアイロンを提供することを課題としている。
【課題を解決するための手段】
【００１３】
上記の課題を解決するために、本考案の加熱カバーを備えたヘアーアイロンは、以下のような構成を採用した。
【００１４】
即ち、本発明の請求項１記載の加熱カバーを備えたヘアーアイロンは、
把持腕部（１０）の先端に加熱腕部（１１）が一直線状に連結された一対の毛髪挟持アーム（１），（１）の基端部が、前記加熱腕部（１１）が近接離反するように閉開可能に枢着されたヘアーアイロン（Ｈ）と、
このヘアーアイロン（Ｈ）のそれぞれの加熱腕部（１１）に着脱可能に装着されるトリートメント用加熱カバー（Ｃ）を備え、
前記トリートメント用加熱カバー（Ｃ）は、装着状態で前記ヘアーアイロン（Ｈ）の加熱腕部（１１）に接触する金属管による本体加熱管（２１）と、この本体加熱管（２１）の先端に取り付けられたプラスチック製のキャップ部材（２２）と、本体加熱管（２１）の基端に取り付けられたプラスチック製の挿入口部材（２３）により形成され、
前記本体加熱管（２１）とキャップ部材（２２）との接続部に耐熱緩衝材（３１）が形成されると共に、本体加熱管（２１）と挿入口部材（２３）との接続部に耐熱緩衝材（３２）が形成され、
かつ前記挿入口部材（２３）の内面にヘアーアイロン（Ｈ）との耐熱緩衝材（３３）が設けられている構成とした。
【００１５】
本発明の請求項２記載の加熱カバーを備えたヘアーアイロンは、請求項１記載の加熱カバーを備えたヘアーアイロンにおいて、前記加熱カバー（Ｃ）の本体加熱管（２１）の材質がアルミニウムである構成とした。
【００１６】
本発明の請求項３記載の加熱カバーを備えたヘアーアイロンは、請求項１又は２記載の加熱カバーを備えたヘアーアイロンにおいて、前記本体加熱管（２１）に多元素鉱物を粉砕して形成した多元素鉱物粉状体が含まれている構成とした。
【００１７】
本発明の請求項４記載の加熱カバーを備えたヘアーアイロンは、
請求項３記載の加熱カバーを備えたヘアーアイロンにおいて、前記多元素鉱物粉状体に、遠赤外線放射材料を粉砕して形成した遠赤外線放射粉状体が混合されている構成とした。
【考案の効果】
【００１８】
本考案（請求項１）の加熱カバーを備えたヘアーアイロンは、ヘアーアイロン（Ｈ）の加熱腕部（１１）に加熱カバー（Ｃ）を着脱可能に装着させる点が特徴である。
即ち、加熱カバー（Ｃ）を外した状態では、ヘアーアイロン（Ｈ）を通常のパーマ用アイロンとして使用でき、一方、加熱カバー（Ｃ）を装着させた状態では、トリートメント液によって濡れたままの毛髪に対して加熱カバー（Ｃ）により直熱を与えてトリートメント施術を行うことができる。
【００１９】
そして、加熱カバー（Ｃ）を金属管による本体加熱管（２１）で形成したので、トリートメントに際し、ヘアーアイロン（Ｈ）に設けたヒータ（２）からの熱を加熱腕部（１１）に接触した加熱カバー（Ｃ）の本体加熱管（１２）の全周に亘って効率よく伝達させることができ、その加熱面積を広く取ることができる。
これにより、毛髪に対する加熱範囲が拡大し、加熱カバーの直熱を効率よく毛髪に与えることができ、ヘアーアイロンを用いた手作業による丁寧なトリートメント施術を行うことができる。
【００２０】
又、本体加熱管（２１）の先端にプラスチック製のキャップ部材（２２）を取り付けているため、このキャップ部材（２２）への熱伝達を抑えることができ、施術中に加熱カバー（Ｃ）の先端が頭皮に直に接触したときの熱さを緩和させることができる。
【００２１】
又、本体加熱管（２１）の基端にプラスチック製の挿入口部材（２３）を取り付けているため、この挿入口部材（２３）への熱伝達を抑えることができ、施術中に施術者の指が接触したときの熱さを緩和させることができる。
【００２２】
又、耐熱緩衝材（３１）、（３２）を形成したので、本体加熱管（２１）とキャップ部材（２２）との接続部、及び本体加熱管（２１）と挿入口部材（２３）との接続部を防水することができる。
更に、挿入口部材（２３）の内面にヘアーアイロン（Ｈ）との耐熱緩衝材（３３）を設けたので、トリートメント液で濡れたままの毛髪に対して使用してもショート等の電気的なトラブルを防止できるし、安全性を確保することができる。
【００２３】
前記金属管による本体加熱管（２１）の材質としてアルミニウムを用いると（請求項２）、このアルミニウムは熱伝達性が特に優れているため、毛髪に対する加熱効率をより一層向上させることができるし、軽量であるため持ち重り感が小さく、施術者の疲労感を軽減できる。
【００２４】
又、本考案（請求項３）のトリートメント用ヘアーアイロンは、前記金属管による本体加熱管（２１）に多元素鉱物を粉砕して形成した多元素鉱物粉状体が含まれている構成に特徴がある。
【００２５】
多元素鉱物（多元素鉱物粉状体）はマイナスイオン及び電磁波（微弱エネルギー）を発生させるもので、このマイナスイオンが毛髪のキューティクル（ガラス状の繊維）に作用し、常にツヤのよい状態に保つことができるし、マイナスイオンによってスキャルプケア等に効果が得られる。
【００２６】
また、多元素鉱物（多元素鉱物粉状体）から放射される４〜１４μｍの波長の電磁波（微弱エネルギ−）には、原子の核の周囲を電気的に変化させて原子、さらにその物質を励起状態（振動）にし、その結果、水のクラスター（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００２７】
これにより特に、トリートメント液の浸透を向上させると共に、毛髪の保湿量を向上させてみずみずしさ（潤い）を与えることができるし、毛髪の弾性の向上、質感の向上、髪艶の向上、毛髪のケアにも効果的である。
【００２８】
又、多元素鉱物粉状体に、遠赤外線放射材料を粉砕して形成した遠赤外線放射粉状体を混合させておくと（請求項４）、この遠赤外線放射粉状体から遠赤外線が放射されて毛髪や頭皮を内部から温めることができ、これにより、毛髪に対するトリートメント液の浸透をより一層向上させることができる。
【図面の簡単な説明】
【００２９】
【図１】加熱カバーを装着した状態で加熱カバーを延在方向で切断した断面図である。
【図２】加熱カバーを装着した状態で加熱カバーを延在方向と直交する方向で切断した断面図である。
【図３】加熱カバー単体を延在方向で切断した断面図である。
【図４】加熱カバー単体を延在方向と直交する方向で切断した断面図である。
【図５】本考案の加熱カバーを備えたヘアーアイロンを示す全体側面図である。
【考案を実施するための形態】
【００３０】
図５において、Ｈはヘアーアイロンで、把持腕部１０の先端に加熱腕部１１が一直線状に連結された一対の毛髪挟持アーム１，１の基端部が、前記加熱腕部１１が近接離反するように軸９により閉開可能に枢着されている。
尚、前記１対の毛髪挟持アーム１、１は支持部８に内蔵したスプリング（図示せず）によって常時は開く状態に付勢されている。
【００３１】
前記加熱腕部１１は、図２で示すように、毛髪挟持部分１２ａが加熱用金属プレート１２で形成され、この加熱用金属プレート１２の内面に加熱手段としての電熱ヒータ４を装着したヒータ収容部１２ｂが一体に形成されると共に、加熱用金属プレート１２の側方から毛髪挟持部分１２ａの反対側にかけての部分を覆うようにプラスチックカバー１３が設けられている。
【００３２】
そして、前記毛髪挟持部分１２ａとなる加熱腕部１１の加熱用金属プレート１２，１２間で毛髪を挟んで加熱することにより、毛髪にカールを付けたり、毛髪をストレートに延したりといった通常のヘアーアイロンとして使用できる。
【００３３】
前記ヘアーアイロンＨのそれぞれの加熱腕部１１には加熱カバーＣが着脱可能に装着される。
この用加熱カバーＣは、装着状態で前記ヘアーアイロンＨの加熱腕部１１に接触する金属管による本体加熱管２１と、この本体加熱管２１の先端に取り付けられたプラスチック製のキャップ部材２２と、本体加熱管２１の基端に取り付けられたプラスチック製の挿入口部材２３により形成されている。
【００３４】
前記金属管による本体加熱管２１は、軽量かつ熱伝達効率に優れたアルミニウムを材質とし、その断面形状は、図２、図４に示すように全体としては横に長い楕円形状で、毛髪挟持部２１ａが平坦に形成され、又、本体加熱管２１の内部には、左右１対の保持壁２１ｂが一体に形成されている。
尚、本体加熱管２１の材質としては、アルミニウム以外の軽金属、銅、スチール、ステンレス等を使用できる。
【００３５】
そして、この加熱カバーＣは、前記ヘアーアイロンＨの加熱腕部１１の先端に挿入口部材２３を被せて差し込んでいくことにより加熱腕部１１に装着されるもので、その装着状態で前記本体加熱管２１がヘアーアイロンＨの加熱用金属プレート１２に接触して、ヘアーアイロンＨの電熱ヒータ４からの熱を伝熱されて発熱する。
又、加熱カバーＣは、装着状態で左右１対の保持壁２１ｂ，２１ｂがヘアーアイロンＨのプラスチックカバー１３に当接して、装着状態での加熱カバーＣのガタツキを防止させている。
【００３６】
前記キャップ部材２２は、本体加熱管２１の先端に取り付けられ、その先端面は丸みを持って閉鎖されている。
前記挿入口部材２３は、本体加熱管２１の基端に前記ヘアーアイロンＨの把持腕部１０にまで延長するように取り付けられている。
【００３７】
尚、実施例では、前記本体加熱管２１の毛髪挟持部２１ａの反対側の面にバー部材２４が取り付けられている。
このバー部材２４は、一端がキャップ部材２２と一体成形され、他端が挿入口部材２３と一体成形されることでキャップ部材２２と挿入口部材２３を一体化させてキャップ部材２２及びの挿入口部材２３の取り付けを安定させると共に、施術者の指が触れた場合の熱さの緩和を図っている。
【００３８】
前記本体加熱管２１とキャップ部材２２との接続部に耐熱緩衝材３１が形成されると共に、本体加熱管２１と挿入口部材２３との接続部に耐熱緩衝材３２が形成され、かつ前記挿入口部材２３の内面にヘアーアイロンＨの把持腕部１０の外周面との間を防水するための耐熱緩衝材３３が設けられている
又、前記バー部材２４は、本体加熱管２１に形成した溝２１ｃ内に嵌め込まれると共に、このバー部材２４と本体加熱管２１との接続部にも耐熱緩衝材３４が形成されている。
【００３９】
尚、図１〜図４は一方の加熱カバーＣについて示しているが、他方の加熱カバーＣについても同様の構造になっている。
【００４０】
そして、前記本体加熱管２１に、多元素鉱物を粉砕して形成した多元素鉱物粉状体と、遠赤外線放射材料を粉砕して形成した遠赤外線放射粉状体が含有されている。
この場合、多元素鉱物粉状体は２種類以上を適宜に配合して使用することが好ましいが、１種類であってもよい。
【００４１】
多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００４２】
多元素鉱物の例である真珠岩の成分を以下の表１に示す。
【００４３】
【表１】
0003164594.tif 000003
【００４４】
又、遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
【符号の説明】
【００４５】
１  毛髪挟持アーム
１０  把持腕部
１１  加熱腕部
２１  本体加熱管
２２  キャップ部材
２３  挿入口部材
３１  耐熱緩衝材
３２  耐熱緩衝材
３３  耐熱緩衝材
３４  耐熱緩衝材
４  電熱ヒータ
Ｃ  トリートメント用加熱カバー（加熱カバー）
Ｈ  ヘアーアイロン
【図１】
0003164594.tif 000004
【図２】
0003164594.tif 000005
【図３】
0003164594.tif 000006
【図４】
0003164594.tif 000007
【図５】
0003164594.tif 000008